(57)【要約】      （修正有）【課題】薄型化粧料容器の蓋体の内面に貼着する鏡の貼着構造を工夫することによって、廉価でありながら耐衝撃性を向上させ、衝撃等による鏡の破損を低減することができる薄型化粧料容器の鏡の貼着構造を提供する。【解決手段】化粧料や塗布具等を収容する薄型化粧料容器１の容器本体３にヒンジ連結される蓋体４と、該蓋体４の内面に貼着される鏡２との間に、表裏に粘着性を有し高弾性を有するアクリルゲルシート５を介在させ、これによって鏡２と蓋体４とを貼着するように構成した。【選択図】図１
2010075614.tif 000002
【特許請求の範囲】
【請求項１】
合成樹脂製の容器本体と、この容器本体にヒンジ連結される厚さ０．８ｍｍ以上１．３ｍｍ以下の合成樹脂製の蓋体とを備える化粧料容器において、該蓋体の内側面には鏡を備えると共に、該蓋体と上記鏡の間には表裏の両面に粘着性を有するアクリルゲルシートが配設され、このアクリルゲルシートによって該鏡と該蓋体とが互いに貼着されることを特徴とする薄型化粧料容器の鏡の貼着構造。
【請求項２】
前記アクリルゲルシートの厚みが０．２〜０．５ｍｍであることを特徴とする請求項１記載の薄型化粧料容器の鏡の貼着構造。
【請求項３】
前記アクリルゲルシートは、平面形状が前記鏡の平面形状に対してほぼ相似形をなし、面積が前記鏡の平面の面積よりも小さく設定され、該鏡の裏面における周縁より内側の中央部分に貼着されることを特徴とする請求項１又は２に記載の薄型化粧料容器の鏡の貼着構造。
【請求項４】
前記アクリルゲルシートは、平面形状が前記鏡の平面形状の外形とほぼ相似形をなす外形の枠状に形成され、この枠状の外形の周長が前記鏡の平面形状における周長よりも短く設定され、該鏡の裏面における周縁より内側の中央部分に貼着されることを特徴とする請求項１又は２に記載の薄型化粧料容器の鏡の貼着構造。
【請求項５】
前記アクリルゲルシートは、前記鏡の平面形状における対向する二辺にそれぞれ沿った二つの領域にそれぞれ一枚ずつ配設されることを特徴とする請求項１又は２に記載の薄型化粧料容器の鏡の貼着構造。
【発明の詳細な説明】
【技術分野】
【０００１】
本発明は、化粧料を収容したり、塗布具を収納するためのコンパクト容器における鏡の貼着構造に関する。
【背景技術】
【０００２】
ファンデーションやアイシャドー、リップクリーム等の化粧料及び、それらの化粧料を塗布するためのスポンジや刷毛等の塗布具を収容する鏡付きの所謂コンパクトと称す化粧料容器は、化粧料や塗布具の携行の利便性は勿論であるが、鏡としての利用が可能であることからも広く普及している。この種の従来の化粧料容器は、携行されることが多く、近年、より一層の薄型化、軽量化が望まれるようになって来ている。このような要望に応ずべく、本出願人は、特許文献１に示すような技術、即ち、蓋体や容器本体をマグネシウム合金で構成して収容部の容量を確保しつつも、容器全体としての厚みを薄くすると共に、軽量化を図るということを先に提案している。これによれば、容器内の容量を保ちつつも、薄型化と軽量化を果たすことができる。しかしながら、薄型化を図ったことにより、容器全体や蓋体の強度が低下するという問題を呈することとなり、これに伴って、蓋体の内面に貼着されている鏡を損傷なく保持する能力が低下するという問題を来している。
【０００３】
従来、蓋体に対する鏡の貼り付けは、不織布基材に粘着剤を塗布して構成される両面テープを用いることによってなされている。蓋体の内側に貼り付けられた鏡には、蓋体や容器本体を薄型化、軽量化したために、化粧料容器の落下、或いは、蓋体や容器本体に対して外部から衝撃が加わった際に、蓋体の内面に貼着された鏡が割れたり欠けたりする畏れがあった。つまり、この種の薄型の化粧料容器の場合には、衝撃に対する保護力が弱く、蓋体内面に貼着されている鏡が破損し易いという問題があった。
【特許文献１】特開２０００−２０１７２８号公報
【発明の開示】
【発明が解決しようとする課題】
【０００４】
本発明は、上記問題点に鑑みてなされたものであり、薄型化粧料容器の蓋体の内面に貼着する鏡の貼着構造を工夫することによって、廉価でありながら耐衝撃性を向上させ、衝撃等による鏡の破損を低減することができる薄型化粧料容器の鏡の貼着構造を提供せんとするものである。
【課題を解決するための手段】
【０００５】
上記課題を解決するために本発明が採った手段は、合成樹脂製の容器本体と、この容器本体にヒンジ連結される厚さ０．８ｍｍ以上１．３ｍｍ以下の合成樹脂製の蓋体とを備える化粧料容器において、該蓋体の内側面には鏡を備えると共に、該蓋体と上記鏡の間には表裏の両面に粘着性を有するアクリルゲルシートが配設され、このアクリルゲルシートによって該鏡と該蓋体とが互いに貼着されることを特徴とする。
【０００６】
アクリルゲルシートの厚みが０．２〜０．５ｍｍであることを特徴とする。
【０００７】
アクリルゲルシートは、平面形状が前記鏡の平面形状に対してほぼ相似形をなし、面積が前記鏡の平面の面積よりも小さく設定され、該鏡の裏面における周縁より内側の中央部分に貼着されることを特徴とする。
【０００８】
アクリルゲルシートは、平面形状が前記鏡の平面形状の外形とほぼ相似形をなす外形の枠状に形成され、この枠状の外形の周長が前記鏡の平面形状における周長よりも短く設定され、該鏡の裏面における周縁より内側の中央部分に貼着されることを特徴とする。
【０００９】
アクリルゲルシートは、前記鏡の平面形状における対向する二辺にそれぞれ沿った二つの領域にそれぞれ一枚ずつ配設されることを特徴とする。
【発明の効果】
【００１０】
本発明は、薄型化粧料容器の蓋体とこの蓋体の内面へ貼着する鏡との貼着に、厚さ０．２〜０．５ｍｍのアクリルゲルシートを、鏡の裏面における周縁よりも内側部分に貼着するように構成したことによって、従来の両面テープを用いた貼着構造よりも優れた耐衝撃性を示し、薄型化粧料容器の鏡の破損を防止するものである。
【発明を実施するための最良の形態】
【００１１】
本発明の実施の形態を、以下に添付図面（図１〜図３）を参照しながら詳細に説明する。本実施態様の薄型化粧料容器(１)の鏡(２)の貼着構造は、上部が開口した容器本体(３)と、この容器本体(３)にヒンジ連結（図示省略）され該容器本体(３)の上部開口を開閉する略板状の蓋体(４)とを備える薄型化粧料容器(１)において、蓋体(４)の厚みが０．８ｍｍ以上１．３ｍｍ以下に設定され、この蓋体(４)の内面に鏡(２)が貼着されるタイプの所謂薄型コンパクト容器とも呼ばれる薄型化粧料容器(１)の耐衝撃性を向上させ、鏡(２)を衝撃から守り破損を抑制するためのものである。
【００１２】
薄型化粧料容器(１)は、図１に示すように、断面凹形に形成され、上部に開口を有するトレー状をなす合成樹脂製の容器本体(３)と、この容器本体(３)の上部開口を開閉する略板状をなす合成樹脂製の蓋体(４)とを備える。容器本体(３)は、内部にファンデーションやアイシャドー、リップクリーム等の化粧料（図示省略）及び、それらの化粧料を塗布するためのスポンジや刷毛等の塗布具（図示省略）を収容することができるように構成される。合成樹脂製の蓋体(４)は、化粧料容器全体の厚さを薄くするために蓋体(４)の厚みが０．８ｍｍ以上１．３ｍｍ以下に形成される。この蓋体(４)には、物理的な圧力に対する抵抗性をより高めるために、本出願人が既に特願２００８−１０８３３９として出願したような１．５〜５．０ｍｍ程の幅の補強用の縁部フレームを蓋体(４)の内面周縁に沿って形成することもできる。蓋体(４)の内面には、アクリルゲルシート(５)を介して鏡(２)が貼着される。勿論、鏡(２)は、蓋体(４)の閉塞状態においては鏡面(６)が容器本体(３)側に向くように、鏡面(６)の裏側にアクリルゲルシート(５)が貼着される。
【００１３】
アクリルゲルシート(５)は、アクリルを素材とするゲルシートで、メークリンゲル(登録商標：共同技研化学株式会社)シートとして市販され、高い弾性率と振動吸収性を有することが知られている。アクリルゲルシート(５)は、図１に示すように、蓋体(４)の内側面と、鏡(２)の裏面側との間に介在させ、蓋体(４)と鏡(２)とを貼着させるものである。アクリルゲルシート(５)は、図２(ａ)に示すように、鏡(２)の裏面側の中央部分に鏡(２)の裏面の周縁を残して貼着されることが望ましい。
【００１４】
また、アクリルゲルシート(５)は、図２(ｂ)に示すように、平面方形状をなす鏡(２)の平面形状の外形とほぼ相似形をなす外形の枠状に形成され、この枠状の外形の周長が鏡(２)の平面形状における周長よりも短く設定され、鏡(２)の裏面における周縁より内側の中央部分に貼着されるように構成することによって、アクリルゲルシート(５)の使用量を低減することもできる。更に、図２(ｃ)に示すように、平面方形状をなす鏡(２)の平面上における対向する二辺にそれぞれ沿った二つの領域に、それぞれ平面方形状に形成されたアクリルゲルシート(５)(５)を一枚ずつ配置して貼着することもできる。
【００１５】
アクリルゲルシート(５)を図２(ｂ)、図２(ｃ)のように貼着した場合は、鏡(２)の裏面にプラスチックシートを貼着し、更にアクリルゲルシート(５)を貼着することにより鏡(２)が割れた場合にガラスが飛散するのを防止することができる。
【００１６】
以上説明したように、本発明の薄型化粧料容器(１)の鏡(２)の貼着構造は、化粧料や塗布具等を収容する容器本体(３)にヒンジ連結される蓋体(４)とこの蓋体(４)の内面に貼着される鏡(２)との間に、粘着性を有し高弾性を有するアクリルゲルシート(５)を介在させ、これによって鏡(２)と蓋体(４)とを貼着するように構成されるものであるが、本発明の主旨を逸脱しない範囲において様々に実施することができる。
【００１７】
薄型化粧料容器の蓋体の内面に、同面積、同形状、同配置で貼着した両面テープ、分子勾配膜(登録商標：共同技研化学株式会社)、アクリルゲルシートの三種類の貼着材を用いてそれぞれ鏡を貼着したサンプル容器(７)を用意し、それぞれのサンプル容器(７)に対して落球試験を行い、鏡の耐衝撃性を測定した。落球試験は、図３に示すように、対象サンプル容器(７)に対して、直径１．５インチ、質量２２６ｇの鋼球(８)を、所定の高さから２回ずつ落下させ、鏡(２)が割れる高さ(ｃｍ)を測定した。その試験結果を図４に示した。
【００１８】
図４のグラフでは、横軸は各サンプル容器(７)に使用した貼着材の種類を、縦軸は鏡(２)が割れた際の鋼球(８)の高さを示したものである。図４に示すように、両面テープと分子勾配膜を貼着材として使用したサンプル容器(７)においては、鋼球(８)を１０ｃｍから落下させた時点で鏡が割れてしまったのに対して、アクリルゲルシートを貼着材として用いたサンプル容器(７)においては、１２．５ｃｍから鋼球(８)を落下させても鏡は割れず、１５．０ｃｍから鋼球(８)を落下させて鏡が破損した。従って、アクリルゲルシートを貼着材として用いたサンプル容器(７)の鏡(２)の耐衝撃性は、両面テープや分子勾配膜よりも優れていることが確認された。
【図面の簡単な説明】
【００１９】
【図１】薄型化粧料容器の鏡の貼着構造の構成を示す断面図
【図２】鏡の裏面に貼着されたアクリルゲルシートの状態を示す図
【図３】落下試験の方法を示す模式図
【図４】落下試験の結果を示すグラフ
【符号の説明】
【００２０】
１  薄型化粧料容器
２  鏡
３  容器本体
４  蓋体
５  アクリルゲルシート
６  鏡面
７  サンプル容器
８  鋼球
【図１】
2010075614.tif 000003
【図２】
2010075614.tif 000004
【図３】
2010075614.tif 000005
【図４】
2010075614.tif 000006